(57)【要約】【課題】  １つの楽曲や映像など素材を様々な状態で鑑賞できるようにする。【解決手段】  ＣＤ−Ｒ１１から、これに記録されている楽曲や映像などのコンテンツデータと、このコンテンツデータをアレンジするメタデータと、コンテンツデータを特定するための情報とを読み出す読み出し手段３１を設ける。この読出手段により読み出されたコンテンツデータと、メタデータによりアレンジされたデータとを一体にして出力する回路３５を設ける。【選択図】  図５
2006107693.tif 000002
【特許請求の範囲】
【請求項１】
コンテンツデータを特定するための識別データと、
上記コンテンツデータを変化させるためのメタデータとが対応付けられて記録されている
ことを特徴とする記録媒体。
【請求項２】
請求項１に記載の記録媒体において、
上記識別データにより特定されるコンテンツデータも記録されている
ことを特徴とする記録媒体。
【請求項３】
請求項２に記載の記録媒体において、
上記識別データおよび上記メタデータは、上記コンテンツデータとは異なる記録領域に記録されている
ことを特徴とする記録媒体。
【請求項４】
請求項１または２に記載の記録媒体において、
上記コンテンツデータが、映像、音楽、写真およびゲームの少なくとも１つのデータである
ことを特徴とする記録媒体。
【請求項５】
請求項１または２に記載の記録媒体において、
上記メタデータが複数種類記録されている
ことを特徴とする記録媒体。
【請求項６】
請求項１または２に記載の記録媒体において、
上記記録媒体が、光ディスク、ハードディスク、あるいは半導体メモリである
ことを特徴とする記録媒体。
【請求項７】
記録媒体から、あるいはネットワーク経由で所定のコンテンツデータを読み出す読出手段と、
上記読み出されたコンテンツデータを特定し、それに関連づけられた上記コンテンツデータを変化させるためのメタデータを上記記録媒体あるいは他の記録媒体から、またはネットワーク経由で取り出す取り出し手段と、
上記読出手段により読み出されたコンテンツデータ、および上記取り出し手段により取り出されたメタデータを一体にして出力する出力手段と
を有するデータ出力装置。
【請求項８】
所定のコンテンツデータを読み出す読み出しステップと、
上記コンテンツデータを変化させるためのメタデータを取り出す取り出しステップと、
上記読み出しステップにより読み出されたコンテンツデータ、および上記取り出しステップにより取り出されたメタデータを一体にして出力する出力ステップと
を有するデータ出力方法。
【請求項９】
所定のコンテンツデータを特定するための情報と、
上記コンテンツデータを変化させるためのメタデータとを一体にして配布または流通させる
ようにしたデータ配布・流通システム。
【請求項１０】
請求項９に記載のデータの配布・流通システムにおいて、
上記メタデータは差分データである
ことを特徴とするデータ配布・流通システム。
【請求項１１】
請求項９に記載のデータの配布・流通システムにおいて、
上記メタデータは階調変化、色調変化、時間軸変化、周波数軸変化、音量変化、テンポ変化およびピッチシフトの少なくとも１つの変化を与えるためのデータである
ことを特徴とするデータ配布・流通システム。
【請求項１２】
請求項９に記載のデータの配布・流通システムにおいて、
上記メタデータは、放送、インターネット、携帯電話または記録媒体を通じて配布または流通させる
ようにしたデータ配布・流通システム。
【請求項１３】
コンテンツデータを特定するための識別データと、
上記コンテンツデータを変化させるためのメタデータとを対応付けて記録媒体に記録する
ことを特徴とする記録装置。
【請求項１４】
コンテンツデータを特定するための識別データと、
上記コンテンツデータを変化させるためのメタデータとを対応付けて記録媒体に記録する
ことを特徴とする記録方法。
【発明の詳細な説明】
【技術分野】
【０００１】
この発明は、コンテンツデータの記録媒体、記録装置、記録方法、データ出力装置、データ出力方法およびデータ配布・流通システムに関する。
【背景技術】
【０００２】
デジタルＡＶ機器の普及にともなって音楽や映像などのコマーシャルコンテンツ（商業用コンテンツ、販売用コンテンツ、プロフェッショナルコンテンツ）が、ＣＤやＤＶＤなどの形態で販売されている。また、各種のコンテンツがネットワークを通じて販売されたり、配信されたりもしている。さらに、ＡＤＳＬやＦＴＴＨなどの普及にともなってインターネットを利用したＰ２Ｐシステムが現実のものとなっている。
【０００３】
なお、先行技術文献として例えば以下のものがある。
【特許文献１】特開２００２−２３６７６８号公報
【特許文献２】特開２００３−１１４９４９号公報
【発明の開示】
【発明が解決しようとする課題】
【０００４】
ところが、ユーザが、例えば音楽ＣＤを購入したり電子配信を受けたりして音楽コンテンツを購入し、その音楽コンテンツの音質を変えるため、イコライジングをしたりなどして、もとのコンテンツをパーソナルコンテンツ化して楽しみたいとしても、コンテンツごとにその曲調などを変更することは困難で、一部のマニアにしか享受できず、一般のユーザが容易に楽しむことはできなかった。また、著作権も考慮する必要がある。
【０００５】
この発明は、このような問題点を解決しようとするものである。
【課題を解決するための手段】
【０００６】
この発明においては、
コンテンツデータを特定するための識別データと、
上記コンテンツデータを変化させるためのメタデータとが対応付けられて記録されている
ことを特徴とする記録媒体
とするものである。
【０００７】
また、この発明においては、
所定のコンテンツデータを特定するための情報と、
上記コンテンツデータを変化させるためのメタデータとを一体にして配布または流通させる
ようにしたデータ配布・流通システム
とするものである。
【発明の効果】
【０００８】
この発明によれば、音楽や映像などの素材そのもの（コンテンツデータ）を楽しむことができるとともに、その素材に対するアレンジ結果も楽しむことができる。また、そのアレンジ結果を与える情報を友人などに提供すれば、その友人もアレンジ結果を楽しむことができる。あるいはアレンジ結果を与える情報をサーバに用意してポータルサービスで流通させたり、Ｐ２Ｐで配布したりすることもでき、ユーザが素材にアクティブにかかわることができるなど、様々な楽しみ方ができる。
【０００９】
しかも、アレンジ結果を与える情報は、これを利用するユーザが素材を用意した場合のみ意味を持つことになるので、著作権上も大きな前進となるとともに、素材の売り上げに寄与することもできる。
【発明を実施するための最良の形態】
【００１０】
〔１〕  記録媒体における記録内容
図１は、記録媒体としてのＣＤを使用し、これにコンテンツデータとして楽曲を記録する場合について、その記録内容および記録形態の一例を示す。
【００１１】
すなわち、図１に示す例においては、ＣＤ１０がCD Extra形式とされ、その第１セッションに複数の楽曲１〜Ｎのデジタルオーディオデータ（無圧縮のデジタルオーディオデータ）が、トラック１〜Ｎとして記録される。この場合、トラック１〜Ｎにおけるデジタルオーディオデータは、通常のＣＤ−ＤＡにおける楽曲と同様のフォーマットで記録されているものである。
【００１２】
また、ＣＤ１０の第２セッションには、Ｎ組のメタデータMETA_1〜META_NおよびタグデータTAG_1〜TAG_Nが記録されている。この場合、メタデータMETA_iは、対応する楽曲（トラック）ｉに変化を与える（アレンジをする）ためのデータであり、例えば、楽曲ｉにギターによる伴奏を付加する場合であれば、ギターによる伴奏のデジタルオーディオデータを生成するためのデータである。
【００１３】
したがって、メタデータMETA_iは、楽曲ｉのデジタルオーディオデータと、そのアレンジ結果のデジタルオーディオデータとの差分のデジタルオーディオデータであってもよいし、楽曲ｉの時間軸、周波数軸あるいはレベルに変化を与えるデータ、例えばテンポ、ピッチ、音量などを変更するデータであってもよい。楽曲ｉの構成情報、つまり各小節の始まりを示す時間情報や各小節におけるコード（和音）情報などであってもよい。そして、このメタデータMETA_iには、楽曲ｉとの同期を取るため、同期データ、あるいは楽曲ｉの対応する位置を示すアドレスデータが含まれる。
【００１４】
さらに、タグデータTAG_1〜TAG_Nは、第１セッションに記録されているトラック（楽曲）１〜Ｎのそれぞれと、メタデータMETA_1〜META_Nのそれぞれとを対応させる、あるいは関連付けするための情報である。つまり、タグデータTAG_1〜TAG_Nは、メタデータMETA_1〜META_Nのそれぞれが、楽曲１〜Ｎのうちのどの楽曲に対応しているかを特定するための情報である。
【００１５】
このため、図２にも示すように、タグデータTAG_i（i＝1〜N）は、このＣＤ１０のＣＤ番号、レーベル会社（発売元）、アルバム名、対応するトラックｉの楽曲名、ＩＳＲＣなどのデータを有する。そして、このタグデータTAG_iに続いてメタデータMETA_iが記録される。
【００１６】
したがって、ＣＤ１０によれば、第１セッションにおける楽曲ｉと、第２セッションにおけるメタデータMETA_iとは、タグデータTAG_iを通じて対応付けされているので、楽曲ｉを、そのメタデータMETA_iにより変化させることができ、すなわち、アレンジをすることができることになる。しかも、１つの楽曲ｉに対して複数のメタデータMETA_iを用意すれば、同じ楽曲ｉを異なったアレンジで聴くこともできる。
【００１７】
また、ＣＤ１０によれば、楽曲ｉをアレンジしない状態で聴くことができ、ＣＤ１０を通常のＣＤと同様に単体で利用することもできる。さらに、図３にも示すように、ＣＤ１０の楽曲ｉ、メタデータMETA_iおよびタグデータTAG_iを、例えばパーソナルコンピュータのハードディスク装置に移して利用することもできる。さらに、すでに楽曲ｉを購入したリスナには、メタデータMETA_iおよびタグデータTAG_iを、インターネットやホームページなどを通じて配布あるいは販売することもできる。
【００１８】
なお、タグデータTAG_iおよびメタデータMETA_iは、ＣＤのＴＯＣに含ませたり、フリンジデータの一部としてＣＤテキストのテキスト部に含ませることもできる。
【００１９】
〔２〕  記録装置および記録方法
図４は、この発明による記録装置の一例を示す。この例においては、楽曲およびそのメタデータを、〔１〕で説明したようにＣＤに記録する場合である。また、この例においては、１つの楽曲ｉに対して３種類のメタデータMETA_i1〜META_i3が用意されている場合である。
【００２０】
すなわち、図４において、符号２０はその記録装置を全体として示し、楽曲ｉのデジタルオーディオデータが入力端子２１Ａを通じて入力バッファ回路２２に供給されていったん蓄積される。また、楽曲ｉのメタデータMETA_i1〜META_i3およびそのタグデータTAG_iが、入力端子２１Ｍ1〜２１Ｍ3および２１Ｔを通じて入力バッファ回路２２に供給されていったん蓄積される。なお、このデータの蓄積は、複数の楽曲について行うことができるとともに、各データの蓄積順序は任意である。
【００２１】
そして、必要なデータが入力バッファ回路２２に蓄積されたとき、所定の操作を行うと、楽曲ｉのデジタルオーディオデータが入力バッファ回路２２から取り出され、この取り出されたデジタルオーディオデータがエラー訂正用のエンコーダ回路２３に供給されてエンコードされ、このエンコード信号が記録用のＥＦＭ変調回路２４に供給されてＥＦＭ信号とされる。そして、このＥＦＭ信号が、記録アンプや記録ヘッドを有する記録部２５に供給され、記録媒体、例えばＣＤ−Ｒ１１の第１セッションに記録される。なお、レーベル会社の場合には、記録媒体１１はマスタディスクとなる。
【００２２】
続いて、バッファ回路２２から楽曲ｉのメタデータMETA_i1〜META_i3およびそのタグデータTAG_iが取り出され、この取り出されたデータが、エンコーダ回路２３および変調回路２４によりデジタルオーディオデータと同様に処理されてから記録部２５に供給され、ＣＤ−Ｒ１１の第２セッションに記録される。
【００２３】
したがって、この記録装置２０によれば、〔１〕において説明したＣＤ１０と同様のＣＤ−Ｒ１１を形成することができる。また、このとき、１つの楽曲ｉに対して複数のメタデータMETA_i1〜META_i3を用意しているので、同じ楽曲ｉを異なったアレンジで聴くこともできる。さらに、ＣＤ−Ｒ１１によれば、楽曲ｉをアレンジしない状態で聴くこともできる。
【００２４】
〔３〕  再生装置および再生方法
図５は、〔２〕の記録装置２０に対応する再生装置の一例を示す。すなわち、この再生装置３０においては、ＣＤ−Ｒ１１がスピンドルモータ４１により所定の速度で回転させられ、光学ヘッド３１によりＣＤ−Ｒ１１からＥＦＭ信号が再生され、このＥＦＭ信号が再生アンプ３２を通じて取り出される。
【００２５】
そして、この取り出されたＥＦＭ信号がサーボ回路４２に供給され、そのサーボ出力がスピンドルモータ４１に供給されてＣＤ−Ｒ１１は所定の回転速度に制御されるとともに、別のサーボ出力が光学ヘッド３１に供給されてＣＤ−Ｒ１１に対するスレッドサーボ、トラッキングサーボおよびフォーカスサーボが行われる。なお、このとき、システム制御回路４３がマイクロコンピュータにより構成され、ＣＤ−Ｒ１１の再生が制御される。例えば、操作ボタン４４を操作すると、ＣＤ−Ｒ１１のトラック（楽曲）のうち、目的とするトラックが選択される。
【００２６】
そして、通常の再生あるいは伴奏を付加した再生が以下のように行われる。
【００２７】
〔３−１〕  通常の再生
この場合には、再生アンプ３２から取り出されたＥＦＭ信号がＥＦＭ復調回路３３に供給されてもとのエンコード信号が復調され、このエンコード信号がエラー訂正用のデコーダ回路３４に供給されてもとのデジタルオーディオデータがデコードされる。そして、このデコードされたデジタルオーディオデータが、後述する合成回路３５を通じてＤ／Ａコンバータ回路３６に供給されてアナログオーディオ信号Ｌ、ＲにＤ／Ａ変換され、この信号Ｌ、Ｒが出力端子３７に取り出される。
【００２８】
したがって、ＣＤ−Ｒ１１の第１セッションに記録されている楽曲ｉを通常どおり再生することができる。
【００２９】
〔３−２〕  伴奏を付加した再生（アレンジをした再生）
この場合には、第２セッションに記録されているメタデータおよびタグデータのうち、目的とする楽曲ｉのメタデータMETA_ijおよびタグデータTAG_iが再生されてデコーダ回路３４から取り出され、この取り出されたメタデータMETA_ijおよびタグデータTAG_iがバッファ回路３８に供給されていったん蓄積される。
【００３０】
続いて、〔３−１〕と同様にして目的とする楽曲ｉのデジタルオーディオデータがデコーダ回路３４から取り出され、合成回路３５に供給される。そして、このとき、バッファ回路３８に蓄積されているメタデータMETA_ijが、デコーダ回路３４から取り出されている楽曲ｉのデジタルオーディオデータに同期して取り出される。なお、この取り出しの同期には、タグデータTAG_iが使用される。
【００３１】
そして、このバッファ回路３８から取り出されたメタデータMETA_ijが生成回路３９に供給される。この生成回路３９は、例えばＤＳＰにより構成され、これに供給されたメタデータMETA_ij（j＝1〜3）から楽曲ｉの伴奏のデジタルオーディオデータを生成するものである。例えば、メタデータMETA_i1が、楽曲ｉにギターによる伴奏を付加するためのデータであれば、ギターによる伴奏のデジタルオーディオデータが生成される。
【００３２】
なお、このとき、操作ボタン４４を操作すると、システム制御回路４３により生成回路３９が制御されてメタデータMETA_ijが選択され、その選択されたメタデータの示す伴奏のデジタルオーディオデータが生成される。
【００３３】
また、メタデータMETA_ijのうち、選択されたメタデータがテンポを変更ないし指定するデータを含んでいる場合には、そのテンポを示すデータがシステム制御回路４３に供給され、この結果、制御回路４３によりサーボ回路４２が制御されてＣＤ−Ｒ１１の回転速度が変更され、ＣＤ−Ｒ１１から再生されるデジタルオーディオデータの速度（テンポ）が変更される。
【００３４】
そして、生成回路３９により生成された伴奏のデジタルオーディオデータが合成回路３５に供給され、本来の楽曲ｉのデジタルオーディオデータに合成される。なお、このとき、上記のように、ＣＤ−Ｒ１１から再生されるデジタルオーディオデータの速度（テンポ）が変更されたときには、その楽曲ｉの音程が変化してしまうので、合成回路３５において、もとの音程に補正される。もちろん、アレンジの結果としてもとの音程にすることもできるし、その音程を高めたり低めたりすることもできる。
【００３５】
こうして、合成回路３５からはメタデータMETA_ijにしたがってアレンジされた楽曲ｉのデジタルオーディオデータが取り出され、そのアナログオーディオ信号Ｌ、Ｒが出力端子３７に取り出される。
【００３６】
したがって、この再生装置３０によれば、〔１〕において説明したＣＤ１０あるいはＣＤ−Ｒ１１を再生するとき、伴奏付きで再生することができる。また、このとき、１つの楽曲ｉに対して複数のメタデータMETA_ijを用意してあれば、同じ楽曲ｉを異なったアレンジで聴くこともできる。
【００３７】
なお、上述の実施例においては、複数のメタデータMETA_ijのうち１つのメタデータを選択するようにしたが、これに限らずそれらを複数組み合わせてアレンジすることも可能である。例えばメタデータMETA_i1によりボサノバ調のリズムでギター伴奏を付加し、メタデータMETA_i2により再生テンポを１０％速めて、メタデータMETA_i3により楽曲の音程をもとの音程に比べて３度高くする、といったアレンジができる。
【００３８】
〔４〕  記録装置および記録方法（その２）
図６は記録装置２０の他の例を示し、この例においては、３つのメタデータMETA_i1〜META_i3のうちの１つをＣＤ−Ｒ１２に記録するようにした場合である。
【００３９】
すなわち、楽曲ｉのデジタルオーディオデータが入力端子２１Ａを通じて入力バッファ回路２２に供給されていったん蓄積される。また、楽曲ｉのメタデータMETA_i1〜META_i3が、入力端子２１Ｍ1〜２１Ｍ3を通じてセレクタ回路２６に供給され、そのうちの１つのメタデータがユーザの指示にしたがって選択され、この選択されたメタデータが入力バッファ回路２２に供給される。さらに、楽曲ｉのタグデータTAG_iが、入力端子２１Ｌを通じて入力バッファ回路２２に供給される。
【００４０】
そして、以後、〔２〕の場合と同様にして、楽曲ｉのデジタルオーディオデータ、メタデータMETA_ijおよびタグデータTAG_iがＣＤ−Ｒ１２にCD Extra形式で記録される。
【００４１】
したがって、この記録装置２０においては、何種類かのアレンジをしたとき、そのうちの例えば一番気に入ったアレンジを特定し、そのメタデータMETA_ijを選択してもとの楽曲ｉに添付することができる。
【００４２】
なお、この記録装置２０においても、図５に示す再生装置３０により再生を行うことができるとともに、その場合、伴奏を付加した再生を行うことができる。
【００４３】
〔５〕  記録装置および記録方法（その３）
図７は記録装置２０の他の例を示し、この例においては、メタデータMETA_i1〜META_i3およびタグデータTAG_iを、楽曲ｉのデジタルオーディオデータに多重化してＣＤ−Ｒ１３にCD−ROM形式で記録するようにした場合である。
【００４４】
このため、この記録装置２０においては、楽曲ｉのデジタルオーディオデータが入力端子２１Ａを通じて多重化回路２７に供給される。さらに、メタデータMETA_i1〜META_i3が、入力端子２１Ｍ1〜２１Ｍ3を通じて多重化回路２７に供給されるとともに、タグデータTAG_iが、入力端子２１Ｔを通じて多重化回路２７に供給される。こうして、多重化回路２７において、楽曲ｉのデジタルオーディオデータ、そのメタデータMETA_ijおよびタグデータTAG_iが多重化される。
【００４５】
そして、この多重化信号が、以後、〔２〕の場合と同様、エラー訂正用のエンコード処理および変調処理されてからＣＤ−Ｒ１３にCD−ROM形式で記録される。
【００４６】
したがって、この記録装置２０においても、次に述べる再生装置３０により再生を行うことができるとともに、その場合、伴奏を付加した再生を行うことができる。
【００４７】
〔６〕  再生装置および再生方法（その２）
図８は〔５〕の記録装置２０に対応する再生装置の一例を示し、図９はその再生時の処理の流れを示すフローチャートである。すなわち、この再生装置３０は操作ボタン４４のうちの再生ボタンの操作待ちとなっているとき、再生ボタンが操作されると（ステップ１０１）、〔３〕の場合と同様にしてＣＤ−Ｒ１３からＥＦＭ信号が再生される（ステップ１０２）。
【００４８】
このＥＦＭ信号が再生アンプ３２を通じて復調回路３３に供給されてもとのエンコード信号が復調され（ステップ１０３）、このエンコード信号がエラー訂正用のデコーダ回路３４に供給されてもとの多重化信号がデコードされる（ステップ１０４）。
【００４９】
そして、このデコードされた多重化信号が分離回路４５に供給されて楽曲ｉのデジタルオーディオデータと、メタデータMETA_ijと、タグデータTAG_iとが分離されステップ１０５）、この分離されたデジタルオーディオデータが合成回路３５に供給される。
【００５０】
また、分離回路４５において分離されたメタデータMETA_ijのうち、任意のメタデータMETA_ijが選択され（ステップ１１１）、この選択されたメタデータMETA_ijおよびタグデータTAG_iが生成回路３９に供給され、楽曲ｉの伴奏のデジタルオーディオデータが生成され（ステップ１１２）、この生成された伴奏のデジタルオーディオデータが合成回路３５に供給される。
【００５１】
そして、合成回路３５において、分離回路４５から供給された本来の楽曲ｉのデジタルオーディオデータに、生成回路３９により生成された伴奏のデジタルオーディオデータが合成される（ステップ１１３）。なお、この合成の同期には、タグデータTAG_iが使用される。また、このとき、上記のように、ＣＤ−Ｒ１３から再生されるデジタルオーディオデータの速度（テンポ）が変更されたときには、その楽曲ｉの音程が変化してしまうので、合成回路３５において、もとの音程に補正される。この例においても、アレンジの結果としてもとの音程にすることもできるし、その音程を高めたり低めたりすることもできる。
【００５２】
こうして、合成回路３５からはメタデータMETA_ijにしたがってアレンジされた楽曲ｉのデジタルオーディオデータが取り出され、このデジタルオーディオデータがＤ／Ａコンバータ回路３６に供給されてアナログのオーディオ信号Ｌ、ＲにＤ／Ａ変換され（ステップ１１４）、このオーディオ信号Ｌ、Ｒが出力端子３７に取り出される。
【００５３】
したがって、この再生装置３０によれば、〔５〕において説明したＣＤ−Ｒ１３を再生するとき、伴奏付きで再生することができる。
【００５４】
なお、この例においても、複数のメタデータMETA_ijのうち１つのメタデータを選択する以外に、それらを複数組み合わせてアレンジすることも可能である。
【００５５】
〔７〕  データベースサーバ
図１０は、データベースサーバ６０を利用する場合の一例を示す。すなわち、この例においては、楽曲ｉは通常のＣＤ１４から再生するとともに、その楽曲ｉのメタデータMETA_iおよびタグデータTAG_iは、データベースサーバ６０に収容し、これをネットワークを通じて利用する場合である。
【００５６】
このため、ＣＤ１４の再生用として専用のＣＤプレーヤ５０が用意される。このＣＤプレーヤ５０は、信号系が例えば図５に示すように構成されるとともに、ハードディスク装置５１および通信機能を有するものとされる。そして、このＣＤプレーヤ５０は、ネットワーク、例えばインターネット７０を通じてデータベースサーバ６０に接続される。なお、ＣＤ１４は通常のＣＤ−ＤＡである。
【００５７】
また、データベースサーバ６０には、データベース６１が用意され、このデータベース６１に、楽曲１〜ＮのメタデータMETA_1〜META_NおよびタグデータTAG_1〜TAG_Nが蓄積される。
【００５８】
そして、例えば図１１に操作および処理の手順を示すように、まず、プレーヤ５０にＣＤ１４をセットし（ステップ２０１）、タイトルを選択する（ステップ２０２）。すると、ＣＤ１４からＣＤ番号のデータおよびトラック番号が取り出され、これがインターネット７０を通じてサーバ６０に送信されて対応する楽曲ｉのメタデータMETA_iおよびタグデータTAG_iの返送がサーバ６０に要求される（ステップ２０６）。
【００５９】
この結果、サーバ６０は、データベース６１から該当するメタデータMETA_iおよびタグデータTAG_iを取り出し、これをインターネット７０を通じてＣＤプレーヤ５０に送信する。なお、この場合、楽曲ｉのメタデータMETA_iが複数あるときには、そのすべて、あるいはユーザの指定したメタデータMETA_iだけをダウンロードすることができる。
【００６０】
すると、ＣＤプレーヤ５０において、その送信されてきたメタデータMETA_iおよびタグデータTAG_iが受信され（ステップ２０５）、これがハードディスク装置５１にいったん保存される（ステップ２０６）。続いて、ＣＤ１４からステップ２０２により選択されたタイトルのデジタルオーディオデータが再生され、このデジタルオーディオデータが合成回路３５に供給されるとともに、ハードディスク装置５１に保存されたメタデータMETA_iおよびタグデータTAG_iが生成回路３９（図５）に供給され、楽曲ｉの伴奏のデジタルオーディオデータが生成され（ステップ２１１）、この生成された伴奏のデジタルオーディオデータが合成回路３５に供給される。
【００６１】
そして、合成回路３５において、これに供給された本来の楽曲（タイトル）ｉのデジタルオーディオデータに、生成回路３９により生成された伴奏のデジタルオーディオデータが合成される（ステップ２１２）。なお、この合成の同期には、タグデータTAG_iが使用される。
【００６２】
こうして、合成回路３５からはメタデータMETA_iにしたがってアレンジされた楽曲ｉのデジタルオーディオデータが取り出され、このデジタルオーディオデータがＤ／Ａコンバータ回路３６に供給されてアナログのオーディオ信号Ｌ、ＲにＤ／Ａ変換され（ステップ１１４）、このオーディオ信号Ｌ、Ｒが出力端子３７に取り出される。
【００６３】
したがって、このＣＤプレーヤ５０によれば、通常のＣＤ１４を再生するとき、伴奏付きで再生することができる。
【００６４】
なお、図１０、図１１による実施例では、ＣＤ１４を再生して素材の楽曲データを得たが、電子楽曲配信サービスのようにネットワーク経由で素材データを得るようにした場合でも本発明は適用することができる。
【００６５】
〔８〕  メタデータの交換システム
図１２は、複数のユーザの間で、メタデータMETA_iを交換できるようにした場合である。すなわち、図１０のＣＤプレーヤ５０と同様に構成されたＣＤプレーヤ５０Ａ〜５０Ｍがインターネット７０に接続されるとともに、サーバ４０が例えばレーベル会社により提供されてインターネット７０に接続される。この場合、レーベル会社は、そのレーベル会社が発売しているＣＤについて、各種のメタデータMETA_iおよびタグデータTAG_iを提供するものである。
【００６６】
したがって、ユーザは、インターネット７０を通じてレーベル会社のサーバ６０からデフォルトのメタデータMETA_iの配布を受けることができるとともに、他のユーザとの間でインターネット７０を通じてＰ２ＰでメタデータMETA_iを交換することができる。あるいは、メモリカードのような記憶媒体によりメタデータMETA_iを交換することもできる。
【００６７】
また、レーベル会社は、要求されたメタデータMETA_iを分析することにより楽曲、すなわち、コンテンツにアクティブにかかわることができる。
【００６８】
〔９〕  映像・画像データのアレンジ
上述においては、アレンジの対象が楽曲であるが、アレンジの対象を、映画、テレビ放送、ゲームなどによる映像・画像のデータとすることもできる。
【００６９】
図１３は、ＤＶＤに収容されている映像をアレンジする場合におけるメタデータMETA_iおよびタグデータTAG_iのフォーマットの一例を示す。この場合も、ＣＤに楽曲を収容している場合と同様、タグデータTAG_iは、ＤＶＤ番号、レーベル会社、アルバム名、タイトル名、コンテンツＩＤなどのデータを有する。
【００７０】
そして、タグデータTAG_iにメタデータMETA_iが続く。このメタデータMETA_iによるアレンジとしては、実写画像・映像、ＣＧなどのキャラクタアニメーションに対しては画面の一部や全体あるいは特定の対象物に対する色調補正、エッジ強調、ノイズ付加などのフィルタ処理や諧調の変更・加工、ズームやパンによる表示領域の変更、文字や図形などのスーパーインポーズ、シーンの抜き出しや挿入、他の映像・画像との合成、再生速度の変更などがある。特に、キャラクタアニメーションの場合には他に空間的な位置、形状、材質に作用するアニメーションのカーブ(キーフレームに対応する値)や適用するテクスチャの変更、さらに３次元ＣＧでは光源パラメータの変更やフォグの追加や変更なども可能である。
【００７１】
これら画像に対するアレンジは、前述の音楽コンテンツに対するアレンジと対比すれば、楽曲の再生テンポは画像の再生速度に、楽曲のピッチ（音高）は画像の色彩や形状に、楽曲の曲調は画像の色調に、各種楽器音はＣＧキャラクタや画像の形状や色彩などに、それぞれ対応するものと考えられる。
【００７２】
したがって、このメタデータMETA_iおよびタグデータTAG_iによれば、対応する映像・画像データをアレンジすることができる。
【００７３】
〔１０〕  まとめ
上述のシステムによれば、音楽や映像などの素材そのものを楽しむことができるだけでなく、ユーザの用意した各種の付加的なデータによりその素材に対するアレンジ結果も楽しむことができ、様々な状態の音楽や映像などを鑑賞することができる。
【００７４】
また、そのアレンジ結果を与える情報を友人などに提供すれば、その友人も同じ音楽や映像コンテンツを所有していればアレンジ結果を楽しむことができる。あるいはアレンジ結果を与える情報をサーバに用意して配信サービスで流通させたり、Ｐ２Ｐで配布したり、メモリカードのような記憶媒体により提供することもでき、ユーザが素材にアクティブにかかわることができるなど、様々な楽しみ方ができる。
【００７５】
しかも、アレンジ結果を与える情報は、これを利用するユーザが素材（コンテンツデータ）を用意した場合のみ意味を持つことになるので、著作権上も大きな前進となるとともに、素材の売り上げに寄与することもできる。
【００７６】
〔１１〕  その他
上述においては、コンテンツデータとして無圧縮のデジタルオーディオデータがＣＤ１０あるいはＣＤ−Ｒ１１〜１３に記録されるとしたが、無圧縮のデジタルオーディオデータをＭＰ３方式などによりデータ圧縮した結果のデジタルオーディオデータを記録することもできる。また、上述したように、対象となる素材ないしコンテンツデータが楽曲（音響）の場合に限らず、画像（写真、ＣＧ）、映像（ビデオ、アニメーション）、ゲームなどのコンテンツとすることもでき、ゲームの場合には、キャラクタの変換やボイス変換などが可能になる。
【００７７】
さらに、タグデータにおけるコンテンツの識別に代えて、例えばコンテンツの冒頭の数秒分のデジタルデータなどから識別することもできる。また、コンテンツ、メタデータおよびタグデータは、光ディスク、ハードディスク、半導体メモリ、ネットワークなどをその媒体とすることができる。さらに、ＣＤの場合、メタデータおよびタグデータは、フリンジ情報を含ませておくこともできる。
【００７８】
また、〔７〕などにおいて、楽曲ｉのメタデータMETA_iおよびタグデータTAG_iをダウンロードする場合、課金を行うこともできる。そして、この課金の方法としては、１組のメタデータMETA_iおよびタグデータTAG_iをダウンロードするごとに課金するものであってもよいし、メタデータMETA_iおよびタグデータTAG_iの数に応じて料金を変動するものであってもよい。また、月極の定額料金をサービス料とすることもできる。
【００７９】
さらに、上述においては、コンテンツデータの記録されたディスクやネットワークを通じてメタデータMETA_iおよびタグデータTAG_iを配布する場合であるが、放送、ＣＡＴＶ、携帯電話、記録媒体を通じて交換・流通させることもできる。このメタデータの交換・流通は、音楽や映画のアクティブな楽しみ方を提供するものであり、爆発的に増える可能性がある。
【００８０】
そして、このとき、一種のコミュニティができていく可能性も高い。例えば、ジャズコミュニティ、クラシックコミュニティ、テンポコミュニティ、アレンジコミュニティ、替え歌（歌詞）コミュニティ、ドラマコミュニティ、スポーツ番組コミュニティ、アクションゲームコミュニティ、ゲームキャラコミュニティなど用途やジャンルに応じてコミュニティ化していく可能性もある。
【００８１】
〔略語の一覧〕
ＡＤＳＬ    ：Asymmetric Digital Subscriber Line
ＡＶ        ：Audio and Visual
ＣＡＴＶ    ：CAble TeleVision
ＣＤ        ：Compact Disc
ＣＤ−ＤＡ  ：CD Digital Audio
ＣＤ−Ｒ    ：CD Recordable
ＣＧ        ：Computer Graphics
Ｄ／Ａ      ：Digital to Analog
ＤＳＰ      ：Digital Signal Processor
ＥＦＭ      ：Eight to Fourteen Modulation
ＦＴＴＨ    ：Fiber To The Home
ＩＤ        ：IDentification
ＩＳＲＣ    ：International Standardization Recording Code
ＭＰ３      ：MPEG-1/Audio Layer 3
ＭＰＥＧ    ：Motion Picture Experts Group
Ｐ２Ｐ      ：Peer to Peer
ＴＯＣ      ：Table Of Contents
【図面の簡単な説明】
【００８２】
【図１】この発明における記録形態の一例を示す図である。
【図２】この発明におけるデータフォーマットの一例を示す図である。
【図３】この発明における記録形態の他の例を示す図である。
【図４】この発明による記録装置の一例を示す系統図である。
【図５】この発明による再生装置の一例を示す系統図である。
【図６】この発明による記録装置の他の例を示す系統図である。
【図７】この発明による記録装置の他の例を示す系統図である。
【図８】この発明による再生装置の他の例を示す系統図である。
【図９】この発明における再生手順の一例を示すフローチャートである。
【図１０】この発明によるサーバシステムの一例を示す系統図である。
【図１１】この発明における再生手順の他の例を示すフローチャートである。
【図１２】この発明によるサーバシステムの他の例を示す系統図である。
【図１３】この発明におけるデータフォーマットの他の例を示す図である。
【符号の説明】
【００８３】
１０および１４…ＣＤ、１１〜１３…ＣＤ−Ｒ、２０…記録装置、２２…入力バッファ回路、２３…エンコーダ回路、２４…ＥＦＭ変調回路、２６…セレクタ回路、２７…多重化回路、３０…再生装置、３１…光学ヘッド、３３…ＥＦＭ復調回路、３４…デコーダ回路、３５…合成回路、３６…Ｄ／Ａコンバータ回路、３８…バッファ回路、３９…生成回路、４２…サーボ回路、４３…システム制御回路、４５…分離回路、５０…ＣＤプレーヤ、６０…データベースサーバ、７０…インターネット
【図１】
2006107693.tif 000003
【図２】
2006107693.tif 000004
【図３】
2006107693.tif 000005
【図４】
2006107693.tif 000006
【図５】
2006107693.tif 000007
【図６】
2006107693.tif 000008
【図７】
2006107693.tif 000009
【図８】
2006107693.tif 000010
【図９】
2006107693.tif 000011
【図１０】
2006107693.tif 000012
【図１１】
2006107693.tif 000013
【図１２】
2006107693.tif 000014
【図１３】
2006107693.tif 000015